【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
複数のタイミングに光が被検体に照射されることにより発生した光音響波を、前記複数のタイミングに互いに異なる位置で受信することにより得られた時系列の受信信号に基づいて、被検体情報を取得する光音響装置であって、
前記時系列の受信信号のデータ量を低減して受信信号データを生成し、該受信信号データを保存する信号データ取得部と、
前記受信信号データに基づいて、被検体情報を取得する情報取得部と、を有し、
前記信号データ取得部は、
前記複数のタイミングに対応する複数の前記位置に関する情報を取得し、
前記複数の位置に関する情報に基づいて、前記複数の位置のそれぞれに対応する前記時系列の受信信号に対して、第１の期間及び前記第１の期間とは異なる第２の期間を決定し、
前記複数の位置のそれぞれに対応する前記時系列の受信信号に対して、互いに異なる前記第１の期間を決定し、
前記第１の期間に対応する前記時系列の受信信号のデータ量を低減して前記受信信号データを生成し、該受信信号データを保存し、
前記第１の期間に対応する前記受信信号データの単位時間当たりのデータ量は、前記第２の期間に対応する前記受信信号データの単位時間当たりのデータ量よりも低い
ことを特徴とする光音響装置。
【請求項２】
前記信号データ取得部は、前記複数の位置に関する情報に基づいて、前記被検体以外の領域で発生した光音響波を受信する期間を前記第１の期間として決定することを特徴とする請求項１に記載の光音響装置。
【請求項３】
前記複数の位置のそれぞれに対応する前記第１の期間を示す情報を保存する記憶部を有し、
前記信号データ取得部は、前記複数の位置に関する情報に基づいて、前記複数の位置のそれぞれに対応する前記第１の期間を示す情報を前記記憶部から読み出し、取得することを特徴とする請求項１または２に記載の光音響装置。
【請求項４】
前記信号データ取得部は、前記第１の期間に対応する前記時系列の受信信号を保存しないことを特徴とする請求項１から３のいずれか１項に記載の光音響装置。
【請求項５】
前記信号データ取得部は、前記第１の期間に対応するサンプリング周波数と、前記第２の期間に対応するサンプリング周波数とを異なるサンプリング周波数とし、前記時系列の受信信号を当該サンプリング周波数でサンプリングして前記受信信号データを生成し、保存することを特徴とする請求項１から４のいずれか１項に記載の光音響装置。
【請求項６】
前記複数の位置に対応する複数のサンプリング周波数を示す情報を保存する記憶部を有し、
前記信号データ取得部は、、前記複数の位置に関する情報に基づいて、前記複数の位置のそれぞれに対応する前記サンプリング周波数を前記記憶部から読み出し、取得することを特徴とする請求項５に記載の光音響装置。
【請求項７】
前記信号データ取得部は、前記被検体の形状に関する情報を取得し、前記被検体の形状に関する情報および前記複数の位置に関する情報に基づいて、第１の期間及び第２の期間を決定することを特徴とする請求項１から６のいずれか１項に記載の光音響装置。
【請求項８】
前記光音響波を受信することにより前記時系列の受信信号を出力する複数の受信素子を支持する支持体と、
前記複数のタイミングに光が照射されるときに前記支持体が位置する複数の位置を設定する制御部と、
前記複数の位置に前記支持体を移動させる移動部と、
を有する
ことを特徴とする請求項１から７のいずれか１項に記載の光音響装置。
【請求項９】
前記支持体は、前記複数の受信素子の指向軸が集まるように前記複数の受信素子を支持する
ことを特徴とする請求項８に記載の光音響装置。
【請求項１０】
光が被検体に照射されることにより発生した光音響波を複数の受信素子により受信することにより得られた時系列の受信信号に基づいて、被検体情報を取得する光音響装置であって、
前記時系列の受信信号に対して、第１の期間及び前記第１の期間とは異なる第２の期間を決定し、
前記第１の期間に対応する前記時系列の受信信号のデータ量を低減して受信信号データを生成し、該受信信号データを保存する信号データ取得部と、
前記受信信号データに基づいて、前記被検体情報を取得する情報取得部と、を有し、
前記信号データ取得部は、前記複数の受信素子のそれぞれが出力した前記時系列の受信信号に対して、互いに異なる前記第１の期間を決定し、
前記第１の期間に対応する前記受信信号データの単位時間当たりのデータ量は、前記第２の期間に対応する前記受信信号データの単位時間当たりのデータ量よりも低い
ことを特徴とする光音響装置。
【請求項１１】
前記信号データ取得部は、前記複数の受信素子のそれぞれが出力した前記時系列の受信信号に対して、前記第１の期間に出力された受信信号を保存しないことを特徴とする請求項１０に記載の光音響装置。
【請求項１２】
複数のタイミングに光が被検体に照射されることにより発生した光音響波を、前記複数のタイミングに互いに異なる位置で受信することにより得られた時系列の受信信号に基づいて受信信号データを生成し、保存する工程と、
前記受信信号データに基づいて、被検体情報を取得する工程と、
を有し、
前記受信信号データを生成し、保存する工程は、
前記複数のタイミングに対応する複数の前記位置に関する情報を取得する工程と、
前記複数の位置に関する情報に基づいて、前記複数の位置のそれぞれに対応する前記時系列の受信信号に対して、第１の期間及び前記第１の期間とは異なる第２の期間を決定し、
前記第１の期間に対応する前記時系列の受信信号のデータ量を低減して受信信号データを生成し、該受信信号データを保存する工程と、
を含み、
前記第１の期間及び前記第２の期間を決定する工程は、前記複数の位置のそれぞれに対応する前記時系列の受信信号に対して、互いに異なる前記第１の期間を決定する工程を含み、
前記第１の期間に対応する前記受信信号データの単位時間当たりのデータ量は、前記第２の期間に対応する前記受信信号データの単位時間当たりのデータ量よりも低い
ことを特徴とする信号処理方法。
【請求項１３】
光が被検体に照射されることにより発生した光音響波を複数の受信素子で受信することにより得られた時系列の受信信号に基づいて、被検体情報を取得する信号処理方法であって、
前記時系列の受信信号に対して、第１の期間及び前記第１の期間とは異なる第２の期間を決定する工程と、
前記第１の期間に前記複数の受信素子から出力された前記時系列の受信信号を低減して受信信号データを生成し、該受信信号データを保存する工程と、
前記受信信号データに基づいて、前記被検体情報を取得する工程と、
を有し、
前記第１の期間及び前記第２の期間を決定する工程は、前記複数の受信素子のそれぞれが出力した前記時系列の受信信号に対して、互いに異なる前記第１の期間を決定する工程を含み、
前記第１の期間に対応する前記受信信号データの単位時間当たりのデータ量は、前記第２の期間に対応する前記受信信号データの単位時間当たりのデータ量よりも低い
ことを特徴とする信号処理方法。
【請求項１４】
請求項１２または１３に記載の信号処理方法をコンピュータに実行させるためのプログラム。
【手続補正２】
【補正対象書類名】明細書
【補正対象項目名】発明の名称
【補正方法】変更
【補正の内容】
【発明の名称】光音響装置、信号処理方法、及びプログラム
【手続補正３】
【補正対象書類名】明細書
【補正対象項目名】０００９
【補正方法】変更
【補正の内容】
【０００９】
本発明に係る光音響装置は、複数のタイミングに光が被検体に照射されることにより発生した光音響波を、複数のタイミングに互いに異なる位置で受信することにより得られた時系列の受信信号に基づいて、被検体情報を取得する光音響装置であって、時系列の受信信号のデータ量を低減して受信信号データを生成し、該受信信号データを保存する信号データ取得部と、受信信号データに基づいて、被検体情報を取得する情報取得部と、を有し、信号データ取得部は、複数のタイミングに対応する複数の位置に関する情報を取得し、複数の位置に関する情報に基づいて、複数の位置のそれぞれに対応する時系列の受信信号に対して、第１の期間及び第１の期間とは異なる第２の期間を決定し、複数の位置のそれぞれに対応する時系列の受信信号に対して、互いに異なる第１の期間を決定し、第１の期間に対応する時系列の受信信号のデータ量を低減して受信信号データを生成し、該受信信号データを保存し、第１の期間に対応する受信信号データの単位時間当たりのデータ量は、第２の期間に対応する受信信号データの単位時間当たりのデータ量よりも低い。